(57)【要約】      （修正有）【課題】携帯に便利な犬のトイレ携帯バックを提供する。【解決手段】犬の携帯トイレは、便器枠に糞尿袋を取り付けた状態で携帯し、素早く容易に愛犬にセットできるハンドルを付ける。また、携帯の利便に配慮し、軽量で小型にし便器枠とハンドルを折り畳み式にし、スペア用糞尿袋や携帯トイレ専用のバックである。なお、この犬の携帯トイレ専用バックには、夜行性の塗料や染色で環境保護協力者であるマークを表示や反射鏡などを付け、犬散歩者が暗がりや夜間でも遠望から認知できる。【選択図】図１
0003126153.tif 000002
【実用新案登録請求の範囲】
【請求項１】
開口部に閉用の紐を付けた糞入れ袋を便器につけ、その便器に折り畳みできるハンドル・取っ手を付け、そのハンドルを折り畳んで手提げバッグに入れ容易に携帯できる、犬の便器と糞尿袋とハンドルと携帯バッグを組み合わせた犬の携帯用トイレセット。
【請求項２】
請求項１の携帯用バッグの中は、糞尿が入っている袋などは別のポケットに入れ、犬トイレは即時使用できるよう便器に糞尿袋をセットした状態で容易に出し入れできる専用の仕切りポケットを装着した犬の携帯用トイレセット。
【請求項３】
請求項１の携帯用バッグは、防水加工材を使用し犬トイレ携帯者であることが容易に昼夜判別出きる、シンボルマークや認可証など、ワッペン、提げ札を夜光塗料または一般の染色や反射鏡を使用し、携帯用バックや犬トイレハンドルに表記または装着した犬の携帯用トイレセット。
【考案の詳細な説明】
【技術分野】
【０００１】  本案は、ペット犬の散歩時の糞尿処理に関することで、ビニール袋と手シャベルを携帯して散歩することが一般的です。
しかし、手シャベル方式は事後処理用具です。それに夜間散歩者はマナーに欠け、路上や公園の植え込みなどに未処理のまま放置されているのが見られます。
本案は、排泄される前に処理し夜間散歩者を認知できる、携帯用ペットトイレの考案です。したがって、排泄物により路上など他物を汚損することはありません。
【背景技術】
【０００２】  従来のペット犬の散歩時の糞尿処理具は、ビニール袋と手シャベル携帯方式で、それ以外のペット排泄物処理具を携帯した散歩者を、拝見したことがありません。
【考案が解決しようとする課題】
【０００３】  第一の課題は、ペット愛好家が容易に使用でき携帯に便利な犬のトイレが無いこと。
第二は、ペット犬の散歩には必ずトイレを携帯し、トイレ以外に用便はさせない。
第三は特に夜間の犬の散歩者の明確化で、夜光性のマークや認可証などを表記したり、反射鏡や提げ札などをつけ犬散歩者であることが一目で判別出きることです。
【考案が解決するための手段】
【０００４】  上記の問題点を解決するため、従来の事後処理方式を改め犬愛好者が携帯に便利な犬トイレ携帯バックセットを製作します。
【０００５】  犬トイレは軽量で携帯バックからた出して、容易に素早くトイレのセット準備が愛犬に出きる機能の構造にしています。また散歩中は、トイレのハンドルを便器枠の上に折り曲げて、容易に携帯バッグに収納出きる構造になっています。
【０００６】  第三の課題，夜間の犬散歩者の問題は、携帯トイレのハンドル部及び携帯トイレバックに、夜光性染色や反射鏡を使用し染色表示やワッペン貼付、提げ札などを付け、犬散歩者の所在を遠方からでも判別認知できるようにし、解決しています。
【考案を実施するための最良の形態】
【０００７】  考案の実施の形態を図面により説明します。
図１，は犬の携帯トイレ全体の側面からの説明見取り図です。
Ａ，ハンドル。  Ｂ，便器枠。  Ｃ，糞尿袋。Ｄ，糞尿袋の閉口紐。
Ｅ，ハンドルと便器枠の接続部。で、この接続心棒で便器枠とハンドルを折り畳み、便器枠と重ね合わせて携帯トイレバックに入れ、散歩に携帯します。
Ｆ，は糞尿袋の掛け具。でこの爪に糞尿袋の穴を掛け、Ｄ，の閉じ紐を掛ける。
Ｇ，夜光表示・反射鏡。夜間散歩時の所在表示ができ、防犯上からも良い。
図２，は、便器枠説明よう平面見取り図です。
Ａ，ハンドル部。Ｂ，便器枠。Ｃ，糞尿袋取り付け掛け爪。Ｄ，便器枠のアーム。で、ハンドルと便器枠を接続します。
図３，は、糞尿袋の説明見取り図です。
Ａ，糞尿袋の閉じ紐。Ｂ，便器の取り付け爪に掛ける穴。Ｃ，便器に取り付けたときの折り返し目安点線。この線で糞尿袋を外側に折り返して取り付けます。
図４，は、犬携帯トイレの携帯バックの説明見取り図です。
Ａ，犬携帯バックの本体。Ｂ，手提げ紐。Ｃ，シンボルマークなど。Ｄ，付け札。で夜光性染色で表示、または反射鏡方式で表示貼付また提げる。
【考案の効果】
【０００８】  本考案は上述のとおりであります。
【０００９】  可愛いペット愛犬との朝夕の散歩は、飼育者にとってはこの上ない楽しい時間であるはずです。しかし他人に迷惑を掛けたのでは困ります。
本案は、犬携帯用トイレの携帯者であることを、明確に表示することにより、公共の場を清潔にして環境を大切にする人物であることが、傍観者に一目で理解できるので、愛犬散歩者は傍目を気にすることなく、安心してより楽しい散歩ができ、夜光表示は防犯の効果も得られます。
【図面の簡単な説明】
【００１０】
【図１】図１，は犬の携帯トイレ全体の側面からの説明見取り図です。
【図２】図２，は、便器枠の説明よう平面見取り図です。
【図３】図３，は、糞尿袋の説明見取り図です。
【図４】図４，は、犬携帯トイレの携帯バックの説明見取り図です。
【符号の説明】
図１，ＡからＧの記号使用。図２，ＡからＤの記号使用。図３，ＡからＣの記号使用。図４，ＡからＤの記号使を用使用しました。
【図１】
0003126153.tif 000003
【図２】
0003126153.tif 000004
【図３】
0003126153.tif 000005
【図４】
0003126153.tif 000006
【手続補正書】
【提出日】平成18年7月7日(2006.7.7)
【手続補正１】
【補正対象書類名】実用新案登録請求の範囲
【補正対象項目名】全文
【補正方法】変更
【補正の内容】
【実用新案登録請求の範囲】
【請求項１】
開口部に閉じ紐を付けた糞入れ袋を楕円の一部に直線部のある便器枠につけ、その便器枠にハンドル・取っ手を付けハンドルを折り畳んで手提げバックに入れ携帯できる、犬の便器枠と糞尿袋とハンドルと携帯バックを組み合わせた犬の携帯用トイレセット。
【請求項２】
請求項１の携帯用トイレセットにボタン付き提げ紐をつけ、携帯バックには前面に上部から切り込付きボタン穴を設置、手提げ肩掛けできる伸縮バンドを装着し、糞尿袋も同封できる蓋つきの携帯バックを組み合わせた携帯用トイレセット。
【請求項３】
請求項１の携帯用トイレセット携帯バックは、防水加工材を使用し、犬のトイレ携帯者が昼夜判別できる、マークや認可証、お守りなどを夜光塗料または一般の染色や反射鏡形式などのワッペンバッヂブローチを製作携帯バックに装着した構造の犬の携帯用トイレセット。
【手続補正２】
【補正対象書類名】図面
【補正対象項目名】図２
【補正方法】変更
【補正の内容】
【図２】
0003126153.tif 000007
【手続補正３】
【補正対象書類名】図面
【補正対象項目名】図４
【補正方法】変更
【補正の内容】
【図４】
0003126153.tif 000008
【手続補正４】
【補正対象書類名】明細書
【補正対象項目名】０００７
【補正方法】変更
【補正の内容】
【０００７】考案の実施の形態を図面により説明します。
図１，は犬の携帯トイレセット全体の側面からの説明見取り図です。
Ａ，ハンドル。Ｂ，便器枠。Ｃ，糞尿袋。Ｄ，糞尿袋の閉じ紐。
Ｅ，ハンドルと便器枠の接続部。  で、この接続心棒で便器枠とハンドルを折り畳み、便器枠と重ね合わせて携帯トイレバックに入れ、散歩に携帯します。
Ｆ，は糞尿袋の掛け具。  で、この爪に糞尿袋の穴を掛けＤ，の閉じ紐を掛ける。
Ｇ，夜光表示・反射鏡。  で、夜間散歩時の所在表示ができ、防犯上からも良い。
図２，は、便器枠説明よう平面見取り図です。
Ａ．ハンドル。Ｂ．ハンドルと便器枠接続部。  Ｃ．便器枠。
Ｄ．便器枠楕円の直線部。で、この直線部分は事後処理（地面に排泄された）糞を「糞尿袋」に入れる場合に「手シャベル」の代行をする。
Ｅ．糞尿袋取り付け掛け爪。  Ｆ．犬携帯トイレセットのボタン付き提げ紐。で、携帯バックの前面の「切り込付きタン穴」に「鈴」などをつけて掛ける。
図３，は、糞尿袋の説明見取り図です。
Ａ，糞尿袋の閉じ紐。
Ｂ，便器枠の取り付け爪に掛ける穴。
Ｃ，便器枠に取り付けたときの折り返し目安点線。  で、この線で糞尿袋を外側に折り返して取り付けます。
図４，は、犬携帯トイレセットの携帯バックの説明見取り図です。
Ａ，携帯バックバンド。で、バンドは伸縮でき流ので、手提げ用肩掛け用として使用できます。
Ｂ，携帯バックの本体。
Ｃ，切り込み付きボタン穴。で、ここに犬携帯トイレセットのボタン付き手提げ紐を掛け、携帯バックの外側から即時に犬携帯トイレセットを取り出せます。
Ｄ，携帯バックの雨除け蓋。で、裏面部だけしか固定接着されていません。
蓋をしていても容易に犬携帯トイレセットをバックから取り出してセットできます。
Ｅ，シンボルマークなどの装着部枠。で、マーク装着枠など夜光性を使用します。
Ｆ，付け札。で、夜光性染色で表示、または反射鏡方式で表示貼付また提げる  なお、付け札の変わりにバッチやブローチ形式も製作装着します。
【手続補正５】
【補正対象書類名】明細書
【補正対象項目名】００１０
【補正方法】変更
【補正の内容】
【００１０】図１，は犬の携帯トイレセット全体の側面からの説明見取り図です。
図２，は、便器枠の説明よう平面見取り図です。
図３，は、糞尿袋の説明見取り図です。
図４，は、犬携帯トイレセットの携帯バックの説明見取り図です。
【手続補正６】
【補正対象書類名】明細書
【補正対象項目名】００１１
【補正方法】変更
【補正の内容】
【００１１】図１，ＡからＧの記号使用。図２，ＡからＦの記号使用。図３，ＡからＣの記号使用。
図４，ＡからＦの記号使を用使用しました。